(57)【要約】      （修正有）【課題】毛量が多くてボリューム感を高め、毛髪の広がり性に優れ、自由なヘアスタイルを演出することができる部分かつらを提供する。【解決手段】部分かつら１は、一方向に延長する糸１０、糸と交差する方向に延長する複数のかつら用毛髪１１を備え、糸１０と結合するかつら用毛髪束２０、およびかつら用毛髪束２０の間に形成され、使用者の毛髪に固定される固定部３０を含み、かつら用毛髪束２０は糸１０に少なくとも２束以上が結合し、かつら用毛髪１１は、互いに予め設定された間隔で離隔して配置されてもよい。【選択図】図１
2015196941.tif 000002
【特許請求の範囲】
【請求項１】
一方向に延長する糸、
前記糸と交差する方向に延長する複数のかつら用毛髪を備え、前記糸と結合するかつら用毛髪束、および
前記かつら用毛髪束の間に形成され、使用者の毛髪に固定される固定部
を含み、
前記かつら用毛髪束は前記糸に少なくとも２束以上が結合し、前記かつら用毛髪は互いに予め設定された間隔で離隔して配置される、部分かつら。
【請求項２】
前記固定部は第１設定長さで形成され、前記かつら用毛髪束の間の長さは、前記第１設定長さよりも短い第２設定長さで形成される、請求項１に記載の部分かつら。
【請求項３】
前記かつら用毛髪束は、前記糸の両端部の間に結びつけられて結合する、請求項１に記載の部分かつら。
【請求項４】
前記かつら用毛髪束は１束に少なくとも３〜４本のかつら用毛髪が含まれ、前記糸に結われた前記かつら用毛髪はかつら用毛髪束の両側に形成され、６〜８本が備えられる、請求項１に記載の部分かつら。
【請求項５】
前記かつら用毛髪は、人毛または仮毛で備えられる、請求項１に記載の部分かつら。
【請求項６】
前記かつら用毛髪束は、人の手で直接に結われて製作される、請求項１に記載の部分かつら。
【請求項７】
前記かつら用毛髪束は、スキル針を利用して結われて製作される、請求項１に記載の部分かつら。
【請求項８】
前記固定部には、使用者の毛髪を圧縮させて固定することができるリングがさらに含まれる、請求項１に記載の部分かつら。
【請求項９】
前記リングは、前記リングと結合する使用者の毛髪数に応じて直径が異なるように形成される、請求項８に記載の部分かつら。
【請求項１０】
前記リングは、前記かつら用毛髪の色と同じように形成されることを特徴とする、請求項８に記載の部分かつら。
【請求項１１】
請求項２記載の部分かつらが一端側となり、請求項８記載の部分かつらが他端側となるように、これら複数の部分かつらによる複数の一方向に延長する前記糸を一直線状に連結してなる、
部分かつら。
【請求項１２】
一方向に延長する糸、前記糸と交差する方向に延長する複数のかつら用毛髪を備え、前記糸と結合するかつら用毛髪束、前記かつら用毛髪束の間に形成され、使用者の毛髪に固定される固定部、前記固定部には使用者の毛髪を圧縮させて固定させることができるリングを含み、前記かつら用毛髪束は前記糸に少なくとも２束以上が結合し、前記かつら用毛髪束は、互いに予め設定された間隔で離隔して配置される部分かつら複数を繋げて生成した、かつら。
【請求項１３】
使用者の頭に螺旋状に配置し、使用者の毛髪を前記リングに挿し込んで固定することを特徴とする、請求項１２に記載のかつら。
【発明の詳細な説明】
【技術分野】
【０００１】
本発明は部分かつらに関し、より詳細には、かつら用の毛髪量が多くて広がり性に優れるため自由なスタイルを演出することができ、リングが備わることによって使用者の毛髪に固定するとき、離脱することを防ぐことができる部分かつらに関する。
【背景技術】
【０００２】
かつらは、天然または合成頭材質であって、全体かつらと部分かつらを生成して脱毛やはげなどをカバーするために使用される。また、美容的な側面においては、スタイル演出を好む人が使用するファッション製品でもある。
【０００３】
既存のかつらは、ゴム糸の両側端部だけにウレタン素材で毛髪を結びつけて処理することによって製作していたが、かつら用毛髪がかたまってしまうという現象と、かつら用の毛髪量が少ないため着用したときの広がり性が低く、ボリューム感が出ないという問題点があった。
【発明の概要】
【発明が解決しようとする課題】
【０００４】
本発明は、従来技術のかつらが、毛量が少なくてボリューム感がなく、毛髪のかたまりによって着用の際に自由なヘアスタイルを演出することができないという問題点を解決するためのものであって、毛量が多くてボリューム感を高め、毛髪の広がり性に優れるため、自由なヘアスタイルを演出することができる部分かつらを提供することを目的とする。
【０００５】
また、本発明は、糸にかつら用毛髪を手で直接に結ったりスキル針を利用して結ったりすることによって毛量を補強することができ、グルーのような接着剤を利用して毛量を補強することができるため、多様な用途に使用することができる部分かつらを提供することを他の目的とする。
【０００６】
さらに、本発明は、リングが備えられているため、部分かつらを着用した際に容易に離脱することを防ぐことができ、毛量を補強することができる部分かつらを提供することをさらに他の目的とする。
【課題を解決するための手段】
【０００７】
本発明の一形態に係る部分かつらは、一方向に延長する糸、前記糸と交差する方向に延長する複数のかつら用毛髪を備え、前記糸と結合するかつら用毛髪束、および前記かつら用毛髪束の間に形成され、使用者の毛髪に固定される固定部を含み、前記かつら用毛髪束は前記糸に少なくとも２束以上が結合し、前記かつら用毛髪は、互いに予め設定された間隔で離隔して配置されてもよい。
【０００８】
また、前記固定部は第１設定長さで形成され、前記かつら用毛髪束の間の長さは、前記第１設定長さよりも短い第２設定長さで形成されてもよい。
【０００９】
また、前記かつら用毛髪束は、前記糸の両端部の間に結びつけられて結合してもよい。
【００１０】
また、前記かつら用毛髪束は、１束に少なくとも３〜４本のかつら用毛髪が含まれてもよく、前記糸に結われた前記かつら用毛髪はかつら用毛髪束の両側に形成され、６〜８本が備えられてもよい。
【００１１】
また、前記かつら用毛髪は、人毛または仮毛で備えられてもよい。
【００１２】
また、前記かつら用毛髪束は、人間の手で直接結わえて製作されてもよい。
【００１３】
また、前記かつら用毛髪束は、スキル針を利用して結われて製作されてもよい。
【００１４】
また、前記固定部には、使用者の毛髪を圧縮させて固定させることができるリングがさらに含まれてもよい。
【００１５】
また、前記リングは、前記リングと結合する使用者の毛髪数に応じて直径が異なるように形成されてもよい。
【００１６】
また、前記リングは、前記かつら用毛髪の色と同じように形成されてもよい。
【００１７】
本発明の他の形態に係るかつらは、一方向に延長する糸、前記糸と交差する方向に延長する複数のかつら用毛髪を備え、前記糸と結合するかつら用毛髪束、前記かつら用毛髪束の間に形成され、使用者の毛髪に固定される固定部、前記固定部には使用者の毛髪を圧縮させて固定させることができるリングを含み、前記かつら用毛髪束は前記糸に少なくとも２束以上が結合し、前記かつら用束は、互いに予め設定された間隔で離隔して配置される部分かつら複数を繋げて生成されてもよい。
【００１８】
また、使用者の頭に螺旋状に配置し、使用者の毛髪を前記リングに挿し込んで固定することを特徴としてもよい。
【発明の効果】
【００１９】
本発明によると、部分かつらの毛髪がかたまる現象を減らすことができ、広がり性に優れるという効果がある。
【００２０】
また、既存のかつらに比べてかつら用の毛髪量が多く、部分かつらを着用する人の頭にボリューム感を与えることができる。
【００２１】
また、リングが備えられているため、使用者が頭に部分かつらを着用した際に部分かつらが離脱することを防ぐことができる。
【００２２】
また、部分かつらを着用しても使用者の頭皮の通風性に優れるため、頭皮炎症などのような皮膚疾患の問題を減らすことができる。
【００２３】
さらに、本発明によると、糸と結合するかつら用毛髪束の数を調節し、部分かつらの毛量を自由に調節することができる。
【図面の簡単な説明】
【００２４】
【図１】本発明の一実施形態に係る部分かつらを示した図である。
【図２】本発明の一実施形態に係る部分かつらを使用者の毛髪に着用した例を示した図である。
【図３】本発明の他の実施形態に係るリングを備える部分かつらを示した図である。
【図４】本発明の他の実施形態に係るリングを備える部分かつらを使用者の毛髪に着用した例を示した図である。
【図５】本発明の他の実施形態に係るリングを備える部分かつら複数を結合したかつらを使用者の頭に着用した姿を上から見た図である。
【図６】本発明の他の実施形態に係るリング複数を備える部分かつらを複数連結したかつらを示した図である。
【発明を実施するための形態】
【００２５】
以下、図面を参照しながら、本発明の具体的な実施形態について詳細に説明する。ただし、本発明の思想がこのような実施形態に制限されてはならず、本発明の思想は、実施形態をなす構成要素の付加、変更、および削除などによって異なるように提案されることもできるが、これも発明の思想に含まれる。
【００２６】
図１は、本発明の一実施形態に係る部分かつらの概略図であり、図２は、本発明の一実施形態に係る部分かつらを使用者の毛髪に着用した例を示した図である。
【００２７】
図１〜図２を参照すると、本発明の一実施形態に係る部分かつら１は、糸１０と、かつら用毛髪束２０と、固定部３０を含んでもよい。
【００２８】
糸１０は、水平方向に延長する薄い円筒形状で形成されてもよく、撓りに優れた柔軟な材質で形成されてもよい。糸１０には少なくとも１本以上のかつら用毛髪１１が結われて束ね処理されてもよい。かつら用毛髪１１の長さは１種の形態での製作に限定されてはならず、多様な長さで製作されてもよい。
【００２９】
糸１０は、複数のかつら用毛髪１１が結びつけられても切れることがなく、使用者の毛髪１２に安定して支持されるように、少なくともかつら用原糸またはゴム糸で備えられてもよい。
【００３０】
かつら用毛髪束２０は、かつら用毛髪１１が糸１０に結びつけられ、一定の間隔で羅列して備えられてもよい。かつら用毛髪１１は糸１０に結びつけられ、糸１０と大体垂直を形成し、糸１０と交差するように糸１０と結合してもよい。
【００３１】
かつら用毛髪束２０の１束あたりに、少なくともかつら用毛髪１１が３〜４本またはそれ以上含まれてもよく、かつら用毛髪束２０の数は部分かつら１の用途に応じて変えてもよい。一例として、かつら用毛髪束２０にかつら用毛髪１１が３〜４本含まれると、かつら用毛髪１１の中間部分と糸１０は結われて結合するため、糸１０の両側にかつら用毛髪束２０の１束あたりにかつら用毛髪１１が６〜８本延長してもよい。このとき、かつら用毛髪１１は、人毛または仮毛で備えられてもよい。
【００３２】
かつら用毛髪束２０は、人間の手で直接に糸１０に結われて製作されてもよく、スキル針またはノッティング手製針を利用して糸１０に結われて製作されてもよい。また、ウレタングルーのような接着剤を利用してかつら用毛髪束２０を糸１０に固定させてもよい。
【００３３】
かつら用毛髪束２０は、予め設定された第１設定長さ間隔で離隔して糸１０と結合してもよい。一例として、かつら用毛髪束２０は、約２〜３ｍｍの間隔で離隔して配置されてもよい。
【００３４】
固定部３０は、かつら用毛髪束２０の間に形成されてもよく、使用者の毛髪１２に結束させて固定されてもよい。
【００３５】
固定部３０は、使用者の毛髪１２が結ばれる部分であって、固定部３０の左側と右側で糸１０に沿って一定の間隔で羅列して備えられるかつら用毛髪束２０の間隔よりもさらに広い間隔で形成されてもよい。言い換えれば、固定部３０の長さは、かつら用毛髪束２０の間隔である第１設定長さよりも長い長さをもつ第２設定長さで形成されてもよい。一例として、固定部３０の長さである第２設定長さは約１ｃｍで形成されてもよい。しかし、固定部３０の間隔が１ｃｍに限定されてはならず、０．５ｃｍまたは０．７ｃｍ、さらに狭くは０．３ｃｍの幅で形成されてもよい。
【００３６】
また、使用者の毛髪１２の量が多い場合には、使用者の毛髪１２を効果的に結ぶことができるように、固定部３０の間隔をさらに広く形成してもよい。
【００３７】
固定部３０を使用者の毛髪１２に結びつけて固定させると、糸１０に備えられたかつら用毛髪束２０の数に応じて使用者の毛髪１２がより豊かに見えるようになり、使用者が好むスタイルを演出できるようになるという長所がある。
【００３８】
図３は、本発明の他の実施形態に係るリングを備える部分かつらを示した図であり、図４は、本発明の他の実施形態に係るリングを備える部分かつらを使用者の毛髪に着用した例を示した図である。
【００３９】
図３〜図４を参照すると、固定部３０にはリング３１が備えられてもよい。
【００４０】
リング３１は固定部３０に備えられてもよく、使用者の毛髪１２を圧縮させて固定させてもよい。一例として、使用者の毛髪１２は、ピンセットのような装置を利用してリングを圧縮させてもよい。
【００４１】
リング３１は、固定部３０で糸１０に沿って左側または右側に移動してもよい。使用者の毛髪１２の所望する部分にリング３１を位置させ、リング３１の内周面の方向に使用者の毛髪１２を挿し込んで固定させてもよい。
【００４２】
リング３１に使用者の毛髪１２を圧縮させて固定させることにより、過度な動きが発生したとしても、部分かつら１が使用者の毛髪１２から離脱することを防ぐことができる効果がある。
【００４３】
リング３１は、リング３１と結合する使用者の毛髪１２の数に応じて多様な形態の直径で形成されてもよい。一例として、毛髪量が少ない人の場合には、ボリューム感を与えるために、直径が小さいリング３１が備えられた部分かつら１を複数着用することによってスタイルを演出してもよい。また、毛髪量が少ない人であっても、１つの部分かつら１にかつら用毛髪束２０が予め設定された量よりも多く備えられると、さらなるボリューム感を与えることができる効果がある。
【００４４】
リング３１は、かつら用毛髪１１の色と同じように形成されてもよい。したがって、部分かつら１を着用しても、リング３１の色がかつら用毛髪１１の色と同じであるため区分がつき難く、自然な着用を可能にするという長所がある。
【００４５】
図５は、本発明の他の実施形態に係るリングを備える部分かつら複数を結合したかつらを使用者の頭に着用した姿を上から見た図であり、図６は、本発明の他の実施形態に係るリング複数を備える部分かつらを複数連結したかつらを示した図である。
【００４６】
図５〜図６を参照すると、部分かつら１は、複数が結合した形態で使用者の頭に固定されて演出されてもよい。
【００４７】
部分かつら１の糸１０と結合するかつら用毛髪束２０は、小型で製作されるときには、４つの束で固定部３０を中心に左側と右側にそれぞれ２束ずつが形成されてもよく、多いときには、固定部３０を中心に左側と右側にそれぞれ１０束、すなわち合計２０束のかつら用毛髪束２０が備えられてもよい。それぞれのかつら用毛髪束２０は手で直接に結われて製作されてもよく、スキル針を利用したりグルーのような接着剤を利用したりして製作されてもよい。固定部３０にリング３１を備えて使用者の毛髪１２を固定させるのと同様に、かつら用毛髪束２０を製作するときには、固定部３０に使用したリング３１よりも小さな直径のリング３１でかつら用毛髪１１を固定させてもよい。
【００４８】
かつら用毛髪束２０が、多いときには２０束が備えられる部分かつら１を複数結合し、多様な形態の部分かつら１として利用してもよい。一例として、かつら用毛髪束２０の１束あたりにかつら用毛髪１１が８本備えられ、かつら用毛髪束２０の間隔が１ｍｍで配置されるとき、部分かつら１を複数結合して１ｍで形成すると、約８０００本のかつら用毛髪１１を着用できるようになる。使用者に毛量がない場合には、このように多量のかつら用毛髪１１を備える部分かつら１を着用することによってボリューム感を与えることができ、自然なヘアスタイルを演出することができる効果がある。このとき、１ｍの長さで形成される部分かつら１は、図５に示すように、使用者の頭に螺旋状に結われた形態で固定されて着用されてもよい。
【００４９】
言い換えれば、図３に示す部分かつら１、すなわち、固定部３０に使用者の毛髪を圧縮させて固定させることができるリング３１を含む部分かつら１を複数連結して長く形成されたかつらは、使用者の頭に螺旋状に配置され、使用者の毛髪をリング３１に挿し込んで固定してもよい。
【００５０】
なお、図５のように複数の部分かつら１を連結する場合、これらの複数の一方向に延長する糸１０を一直線状に連結すればよい。そして、たとえば図１の部分かつら１がその一直線状の連結の一端側となり、図３の部分かつら１が他端側となるようにしてもよい。この場合、たとえばリング３１を有する図３の部分かつら１を図５の螺旋の外周側とし、リング３１を有さない図１の部分かつら１を図５の螺旋の内側とし、外周側から順番に頭に装着して内側の部分かつら１を外側の部分かつら１の上に重なるように固定することで、使用者の頭髪に対してはリング３１を使用してしっかりとずれ難く固定するとともに外観からはリング３１を隠すことができる。頭頂部において重なり合った部分かつら１においてリング３１が露出し難くなる。
【００５１】
従来のかつらを頭に着用する場合には、頭全体がかつらによって覆われるため空気が通らずに頭皮がしわしわになり、頭皮に悪い影響を及ぼしていたが、本実施形態に係る部分かつら１を複数連結して製作したかつらを使用者の頭に螺旋状に結合する場合には、毛髪はボリューム感あるように見えながらも空気の通りが良く、頭皮に損傷を与えないという長所がある。
【００５２】
リング３１はかつら用毛髪束２０の間に複数が備えられてもよく、使用者の毛髪１２をリング３１に通した後に抜き出して部分かつら１をさらに強く固定させてもよい。
【００５３】
また、リング３１の間にかつら用毛髪束２０を１つ結合させてもよく、複数を結合させてもよい。
【００５４】
リング３１の直径は多様な形態で形成されてもよく、使用者の毛髪１２を所望するだけ固定させることができるという長所がある。
【００５５】
本発明に係る部分かつら１は、かつら用毛髪束２０がかたまる現象を減少させることができ、部分かつら１に多いときには１８０束のかつら用毛髪束２０を備えることができるため、着用したときにボリューム感を与えることができる効果がある。
【００５６】
また、数十束以上のかつら用毛髪束２０が糸１０に沿って一定の間隔で羅列して束ね処理されることにより、広がり性に優れるという効果がある。
【００５７】
また、固定部３０にリング３１を備えることにより、部分かつら１を着用する人の毛髪から容易に離脱することを防ぐことができる効果がある。
【００５８】
さらに、部分かつら１の着用による使用者の頭皮または毛髪の損傷を減らすことができるという効果がある。
【符号の説明】
【００５９】
１：部分かつら
１０：糸
１１：かつら用毛髪
１２：使用者の毛髪
２０：かつら用毛髪束
３０：固定部
３１：リング
【図１】
2015196941.tif 000003
【図２】
2015196941.tif 000004
【図３】
2015196941.tif 000005
【図４】
2015196941.tif 000006
【図５】
2015196941.tif 000007
【図６】
2015196941.tif 000008